(57)【特許請求の範囲】
【請求項１】
外壁開口部に設けられる建具の屋外側を覆って当該開口部を遮蔽可能な遮蔽装置であって、
遮蔽枠体と、この遮蔽枠体に開閉可能に支持される遮蔽面材と、開放した遮蔽面材を収納する収納箱体と、この収納箱体内部に回転可能に設けられて前記遮蔽面材を巻き取る巻取軸体とを備え、
前記巻取軸体は、前記遮蔽面材を巻き取る筒状部と、この筒状部から前記収納箱体に向かって突出して支持される軸部とを有するとともに、少なくとも前記筒状部の端部から前記軸部の外周を覆う被覆体が設けられ、前記軸部と前記被覆体との間に熱膨張性耐火材が設けられている遮蔽装置。
【請求項２】
前記熱膨張性耐火材は、前記筒状部の端部に重なって設けられている請求項１に記載の遮蔽装置。
【請求項３】
前記遮蔽面材は、当該遮蔽面材が前記開口部を全閉した状態において前記巻取軸体に少なくとも一周分だけ余分に巻き付けた余剰巻付部を有し、この余剰巻付部によって前記被覆体が構成され、
前記熱膨張性耐火材は、前記軸部に対向する前記余剰巻付部の内周面に取り付けられている請求項１または請求項２に記載の遮蔽装置。
【請求項４】
前記筒状部における中間部の少なくとも１箇所であって前記余剰巻付部で覆われる位置には、当該筒状部の周面を貫通する貫通孔が設けられている請求項３に記載の遮蔽装置。
【請求項５】
前記軸部の先端部と前記収納箱体の軸受部とのうち、少なくとも一方に熱膨張性耐火材が設けられている請求項１から請求項４のいずれかに記載の遮蔽装置。
【発明の詳細な説明】
【技術分野】
【０００１】
本発明は、遮蔽装置に関し、詳しくは、窓等の建具の屋外側を覆って開口部を遮蔽可能なシャッター等の遮蔽装置に関する。
【背景技術】
【０００２】
従来、窓等の建具に設けられてその屋外側を覆うシャッター等の遮蔽装置が広く利用されている（例えば、特許文献１参照）。
特許文献１に記載されたシャッターは、シャッターカーテン（遮蔽面材）を開閉案内するガイドレールと、遮蔽面材を収容可能なシャッターケース（収納箱体）とを備え、収納箱体の内部に巻取ドラム（巻取軸体）が回転可能に支持され、この巻取軸体に遮蔽面材が巻き取られて収納箱体に収納され、遮蔽面材が全開されるように構成されている。巻取軸体は、遮蔽面材を巻き取る筒状部材と、筒状部材の内部や端部に設けられる複数の回転ホイールと、ホイール同士を連結するシャフトとを備え、シャフトの端部が収納箱体に軸支されている。また、電動シャッターの場合には、収納箱体に固定されて筒状部材の内部や外部に設けられた電動モータを備え、この電動モータが適宜なギア等を介してホイールやシャフトを回転駆動するように構成されている。
【先行技術文献】
【特許文献】
【０００３】
【特許文献１】特開平１１−５０７６４号公報
【発明の概要】
【発明が解決しようとする課題】
【０００４】
ところで、前記特許文献１に記載されたような従来の遮蔽装置では、巻取軸体の内部や電動モータなどに多くの樹脂製部品が用いられていることから、火災の熱によって樹脂製部品が溶融して引火性のガスが発生する可能性がある。このため、遮蔽装置として所定の防火性能を確保していたとしても、巻取軸体内部の構成部材が溶融してしまうと、ホイールとシャフトの隙間や、ホイールと筒状部材の隙間、シャフトの端部などから収納箱体内部にガスが漏れ出てしまい、漏れ出たガスが防火性能低下を引き起こす原因となる可能性がある。
【０００５】
本発明の目的は、防火性能を確実に向上させることができる遮蔽装置を提供することにある。
【課題を解決するための手段】
【０００６】
本発明の遮蔽装置は、外壁開口部に設けられる建具の屋外側を覆って当該開口部を遮蔽可能な遮蔽装置であって、遮蔽枠体と、この遮蔽枠体に開閉可能に支持される遮蔽面材と、開放した遮蔽面材を収納する収納箱体と、この収納箱体内部に回転可能に設けられて前記遮蔽面材を巻き取る巻取軸体とを備え、前記巻取軸体は、前記遮蔽面材を巻き取る筒状部と、この筒状部から前記収納箱体に向かって突出して支持される軸部とを有するとともに、少なくとも前記筒状部の端部から前記軸部の外周を覆う被覆体が設けられ、前記軸部と前記被覆体との間に熱膨張性耐火材が設けられていることを特徴とする。
【０００７】
以上の本発明によれば、巻取軸体の軸部と被覆体との間に熱膨張性耐火材を設けたことで、火災の熱で熱膨張した耐火材によって被覆体の内部を閉塞することができ、筒状部の端部と軸部とに隙間があったとしても、この隙間を確実に塞ぐことができる。従って、巻取軸体内部の構成部材等が熱で溶融したとしても、溶融した部材から発生するガスが軸部側から収納箱体内部へ漏れ出すことが阻止でき、ガスへの引火を防止して防火性能を確実に向上させることができる。
【０００８】
この際、本発明の遮蔽装置では、前記熱膨張性耐火材は、前記筒状部の端部に重なって設けられていることが好ましい。
このような構成によれば、筒状部の端部と軸部との隙間や、筒状部の端部にホイールが設けられた場合には筒状部とホイールとの隙間を熱膨張耐火材によって確実に塞ぐことができ、巻取軸体の密閉性や断熱性を高めることができる。
【０００９】
また、本発明の遮蔽装置では、前記遮蔽面材は、当該遮蔽面材が前記開口部を全閉した状態において前記巻取軸体に少なくとも一周分だけ余分に巻き付けた余剰巻付部を有し、この余剰巻付部によって前記被覆体が構成され、前記熱膨張性耐火材は、前記軸部に対向する前記余剰巻付部の内周面に取り付けられていることが好ましい。
このような構成によれば、遮蔽面材の余剰巻付部を巻取軸体に一周以上巻き付けて被覆体を構成することで、被覆体を別体の部材で構成する場合と比較して、部材点数を削減することができるとともに、組み立て工数を削減することもできる。また、余剰巻付部の内周面に熱膨張性耐火材を取り付けることで、耐火材が取り付けやすくかつ脱落しにくくできる。すなわち、通常、巻取軸体の筒状部や軸部の外周面よりも余剰巻付部の内周面の方が曲率が小さくなる（径が大きくなる）とともに、周長が長くなることから、余剰巻付部の内周面の方が熱膨張性耐火材を取り付けやすくかつ剥がれにくくできる。また、一般的に遮蔽面材として利用されるシャッタースラットは、内周面側に開口した断面凹状に形成されていることから、この凹部の底面に熱膨張性耐火材を取り付けることで、遮蔽面材の巻き取りの際に他の部位に耐火材が当接することが防止でき、脱落を防止することができる。
【００１０】
また、本発明の遮蔽装置では、前記筒状部における中間部の少なくとも１箇所であって前記余剰巻付部で覆われる位置には、当該筒状部の周面を貫通する貫通孔が設けられていることが好ましい。
このような構成によれば、筒状部に貫通孔を設けることで、筒状部内部で発生したガスを貫通孔から筒状部と余剰巻付部との間の空間に排気することができ、これにより軸部の側へのガスの流通を抑制することができ、筒状部の端部からガスが漏れ出すことが防止できる。さらに、筒状部の外周面と余剰巻付部との間に排気したガスがこの空間内で燃焼したとしても、その火炎が余剰巻付部の外部に漏れることがないので、火炎による延焼等を確実に防止することができる。
ここで、遮蔽装置は、前記軸部と前記被覆体との間の熱膨張性耐火材を省略し、前記遮蔽面材は、全閉状態において前記巻取軸体に少なくとも一周分だけ余分に巻き付けた余剰巻付部を有し、この余剰巻付部によって前記被覆体が構成され、前記筒状部における中間部の少なくとも１箇所であって前記余剰巻付部で覆われる位置には、当該筒状部の周面を貫通する貫通孔が設けられた構成が採用可能である。
すなわち、筒状部と余剰巻付部との間にガスを滞留させるための十分な空間が形成されていれば、この空間内部から外側へのガスの漏れ出しを防止することができ、防火性能を高めることができる。
【００１１】
また、本発明の遮蔽装置では、前記軸部の先端部と前記収納箱体の軸受部とのうち、少なくとも一方に熱膨張性耐火材が設けられていることが好ましい。
このような構成によれば、軸部の先端部や収納箱体の軸受部に熱膨張性耐火材を設けることで、例えば、軸部が中空筒状の部材で構成されてケーブル等が挿通されていた場合であっても、軸部の端部開口を耐火材で塞ぐことができ、防火性能をさらに向上させることができる。なお、軸部に挿通されるケーブル等としては、火災等の非常時に屋外側から遮蔽面材を開放するための非常開放用の操作部に接続された配線が例示でき、このような配線が設けられる軸部の端部開口を耐火材で塞ぐことで、非常開放操作を確保することができる。
【図面の簡単な説明】
【００１２】
【図１】本発明の実施形態に係る遮蔽装置を含む建具を示す縦断面図である。
【図２】前記遮蔽装置を示す分解斜視図である。
【図３】前記遮蔽装置を示す縦断面図および遮蔽面材の正面図である。
【図４】前記遮蔽装置の要部を示す斜視図である。
【発明を実施するための形態】
【００１３】
以下、本発明の実施形態を図面に基づいて説明する。
図１において、本実施形態の遮蔽装置である外部シャッター１０は、建具としての引違い窓１の屋外側に設けられている。引違い窓１は、戸建て住宅等の建物における外壁の開口部に設けられるものであって、窓枠２と、室内外一対の障子３とを備え、窓枠２は、上枠２Ａ、下枠２Ｂおよび左右の縦枠を四周枠組みして構成されている。外部シャッター１０は、外壁に固定される遮蔽枠体としてのシャッター枠１１と、このシャッター枠１１に上下開閉自在かつ上方に巻き上げ収容可能に支持される遮蔽面材としてのシャッター面材１２と、開放したシャッター面材１２を収納する収納箱体としてのシャッターケース１３と、シャッターケース１３に軸支されて前記遮蔽面材を巻き取る巻取軸体としての回転ドラム３０とを有して構成されている。
【００１４】
シャッター枠１１は、上枠２Ａの上方に位置するシャッター上枠１４と、下枠２Ｂの下方に位置するシャッター下枠１５と、左右の縦枠の見付け方向外側に位置する左右のシャッター縦枠１６と、上枠２Ａの上側かつシャッター上枠１４の下方にて左右のシャッター縦枠１６間に架設されるまぐさ１７とを有して構成され、これらのシャッター上枠１４、シャッター下枠１５、シャッター縦枠１６およびまぐさ１７が外壁に固定されている。そして、シャッター上枠１４、まぐさ１７およびシャッター縦枠１６と、これらの前面に取り付けられる前面パネル１８と、シャッター縦枠１６の上端部に取り付けられる側面パネル１９と、によってシャッターケース１３が構成されている。このシャッターケース１３は、その下方であるまぐさ１７と前面パネル１８との間に挿通口２０を有し、この挿通口２０に挿通させて巻き上げたシャッター面材１２を収納するようになっている。また、シャッターケース１３の内部には、図２、図３にも示すように、外壁に固定される金属製の支持部材２１が設けられ、この支持部材２１に回転ドラム３０が支持されている。この支持部材２１は、外壁に固定される背面部２１１と、背面部２１１の両端部から屋外側に延びる一対の側面部２１２とを有して形成されている。
【００１５】
シャッター面材１２は、複数のスラット２２を上下に連結するとともに、最下部のスラット２２に座板２３を連結して構成され、シャッターケース１３内部の回転ドラム３０に巻き取られて収納され、この収納された状態で開放されるようになっている。さらに、シャッター面材１２は、一対の枠材である左右のシャッター縦枠１６に設けられた案内レール１６１に案内されて上下開閉可能とされ、シャッター下枠１５に設けたシャッター錠１５１に座板２３が係合されることで、窓枠２および障子３の屋外側を覆って閉鎖されるようになっている。また、シャッター面材１２は、その全開状態において、回転ドラム３０に一周分だけ余分に巻き付けた余剰巻付部２４を有し、この余剰巻付部２４によって回転ドラム３０の外周を覆う被覆体が構成されている。なお、ここでは、余剰巻付部２４は、６枚程度のスラット２２で構成されている。
【００１６】
回転ドラム３０は、シャッター面材１２を巻き取る筒状部としての巻取パイプ３１と、この巻取パイプ３１の一端部に嵌め込まれるホイール３２と、このホイール３２に回転自在に支持されて一端側に突出する軸部としてのシャフト３３と、巻取パイプ３１の他端部から挿入されるチューブラモータ３４と、チューブラモータ３４の駆動力をホイール３２に伝達するクラッチ３６と、巻取パイプ３１とシャフト３３との間に架け渡されたコイルばね３７とを有して構成されている。巻取パイプ３１は、全体円筒状に形成されるとともに、その周面には、長手方向に沿って溝状に形成されてシャッター面材１２の上端部（最上部のスラット２２）を固定する固定溝３１１と、この固定溝３１１の反対側にて長手方向に沿った凹溝部３１２とが形成されている。凹溝部３１２の底面におけるチューブラモータ３４とホイール３２との中間位置には、巻取パイプ３１の周面を内外に貫通する貫通孔３１３が形成されている。
【００１７】
この回転ドラム３０は、一端側のシャフト３３が支持部材２１の一方の側面部２１２に設けられる軸受部としてのブラケット２５に固定され、他端側のチューブラモータ３４が支持部材２１の他方の側面部２１２に設けたモーター軸受部２８に嵌め合い固定されている。そして、チューブラモータ３４の回転駆動により、クラッチ３６を介してホイール３２および巻取パイプ３１を回転させ、これによりシャッター面材１２を巻き取って開閉できるように構成され、すなわち、外部シャッター１０は、電動シャッターである。また、外部シャッター１０には、非常時に屋外側からシャッター面材１２を手動開放するための開放装置４０が設けられ、この開放装置４０から回転ドラム３０のシャフト３３内部に挿通されたワイヤ４１がクラッチ３６に接続されている。そして、開放装置４０を操作してクラッチ３６とチューブラモータ３４との接続を解除することで、チューブラモータ３４に対するホイール３２および巻取パイプ３１の回転が自由になることから、シャッター面材１２が手動開放できるように構成されている。
【００１８】
以上の外部シャッター１０において、シャッター面材１２の余剰巻付部２４には、熱膨張性耐火材２６が設けられている。具体的には、図３、図４にも示すように、余剰巻付部２４のうち、回転ドラム３０の一端側におけるホイール３２およびシャフト３３を覆う位置であって、各スラット２２の端部から巻取パイプ３１の一端部に重なる位置までの範囲に熱膨張性耐火材２６が設けられている。これらの熱膨張性耐火材２６は、スラット２２の凹状部分にであって、シャフト３３および巻取パイプ３１に対向する余剰巻付部２４の内面に貼り付けられている。ここで、熱膨張性耐火材２６は、火災の熱によって膨張する各種の耐火材料が利用可能であり、樹脂やゴム等を原材料とするものや金属や炭素等を原材料とするものなどが例示できる。このような耐火材２６は、常時の状態から加熱されることで、体積比で十数倍から数十倍に膨張し、膨張することによって余剰巻付部２４と側面部２１２と巻取パイプ３１、ホイール３２およびシャフト３３とで形成される空間Ｓを閉塞するようになっている。
【００１９】
従って、回転ドラム３０の内部に設けられる樹脂製部品やチューブラモータ３４等が加熱されて溶融し、引火性のガスが発生したとしても、このガスは、先ず、貫通孔３１３から巻取パイプ３１と余剰巻付部２４との間の空間に蓄積され、シャフト３３側には流れてこないようになっている。そして、巻取パイプ３１と余剰巻付部２４との間に蓄積されたガスに引火したとしても、この火炎はシャッターケース１３内部や外部、屋内空間に到達することがない。さらに、巻取パイプ３１内部のガスがシャフト３３側に流れ、シャフト３３とホイール３２との隙間やホイール３２と巻取パイプ３１との隙間から一方側に流出したとしても、その空間Ｓが余剰巻付部２４で覆われているため、シャッターケース１３内部にガスが漏れ出ず、このガスに引火したとしても、膨張した熱膨張性耐火材２６によって火炎を空間Ｓ内に留めることができるようになっている。
【００２０】
また、ブラケット２５が設けられる支持部材２１の一方の側面部２１２には、シャフト３３の先端部と対向して熱膨張性耐火材２７が設けられている。この耐火材２７は、加熱されて膨張することによってシャフト３３の先端部の開口を塞ぐとともに、シャフト３３とブラケット２５および側面部２１２との隙間を閉塞することで、火災時において巻取パイプ３１内部に発生した引火性のガスがシャフト３３の先端部側に流れたとしても、このガスはシャッターケース１３内部や外部、屋内空間に到達することがない。なお、耐火材２７は、側面部２１２に限らず、シャフト３３の先端部に設けられていてもよいし、それら両方に設けられていてもよい。
【００２１】
このような本実施形態によれば、以下のような効果がある。
すなわち、シャッター面材１２の余剰巻付部２４によって回転ドラム３０の外周が覆われるとともに、余剰巻付部２４の内面に設けた熱膨張性耐火材２６によって火災時に空間Ｓが閉塞されるので、巻取パイプ３１内部の構成部材やチューブラモータ３４等が熱で溶融して引火性のガスが発生したとしても、このガスがシャッターケース１３内部へ漏れ出すことが阻止できる。さらに、ガスに引火したとしても、その火炎がシャッターケース１３内部や外部、屋内空間に到達することを確実に防止でき、防火性能を向上させることができる。
【００２２】
なお、本発明は、前記実施形態に限定されるものではなく、本発明の目的を達成できる他の構成等を含み、以下に示すような変形等も本発明に含まれる。
例えば、前記実施形態において、建具の一例としての引違い窓１を例示したが、建具としては、引違い窓１に限らず、片引き窓や上げ下げ窓などの各種開閉形式を有する窓でもよい。
また、前記実施形態において、遮蔽装置としての外部シャッター１０が電動シャッターの場合を例示したが、本発明の遮蔽装置は電動シャッターに限らず、手動開閉式のシャッターであってもよい。
【００２３】
また、前記実施形態では、余剰巻付部２４を構成するスラット２２の内面に熱膨張性耐火材２６を貼り付けたが、これに限らず、シャフト３３やホイール３２の表面に熱膨張性耐火材を貼り付けてもよいし、これらに貼り付けることなく空間Ｓ内に適宜な設置方法で熱膨張性耐火材を設けてもよい。
さらに、前記実施形態では、シャッター面材１２の余剰巻付部２４によって被覆体を構成したが、これに限らず、シャッター面材１２とは別体の部材を用いてシャフト３３やホイール３２の外周を覆ってもよい。例えば、円筒状や多角形状のパイプ材、あるいは平板を円周に沿って多数取り付けて被覆体を形成してもよい。
また、前記実施形態では、シャフト３３の先端部に設けた熱膨張性耐火材２７によってシャフト３３の先端部の開口を塞ぐように構成されていたが、シャフト３３が中空状でない場合や、開放装置４０のワイヤ４１等の被覆対象が存在しない場合には、熱膨張性耐火材２７を省略してもよい。
【００２４】
また、前記実施形態では、シャッター巻取パイプ３１に形成した貫通孔３１３は、固定溝３１１の反対側の凹溝部３１２に形成したが、シャッター面材１２の巻取開始位置とシャッター巻取パイプ３１の頂部との間、つまり挿通孔２０と反対側に形成すればよく、この場合巻取パイプ３１内部の構成部材やチューブラモータ３４等が熱で溶融して引火性のガスが発生し、そのガスに引火したとしても、その火炎がシャッターケース１３内部や外部、あるいは挿通孔２０を通じて屋内空間に到達することを確実に防止でき、防火性能を向上させることができる。
【００２５】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２６】
１…引違い窓（建具）、１０…外部シャッター（遮蔽装置）、１１…シャッター枠（遮蔽枠体）、１２…シャッター面材（遮蔽面材）、１３…シャッターケース（収納箱体）、２４…余剰巻付部（被覆体）、２５…ブラケット（軸受部）、２６，２７…熱膨張性耐火材、３０…回転ドラム（巻取軸体）、３１…巻取パイプ（筒状部）、３３…シャフト（軸部）、３１３…貫通孔。
【図１】
0005530402.tif 000002
【図２】
0005530402.tif 000003
【図３】
0005530402.tif 000004
【図４】
0005530402.tif 000005